(57)【要約】【課題】発光効率の良い有機ＥＬ素子をバックライトとしたフィールドシーケンシャル液晶表示装置を提供する。【解決手段】フィールドシーケンシャル液晶表示装置はバックライト13と、バックライトの発光に同期して特定領域を選択的に透光可能とする液晶パネルとを備える。バックライトは発光色の異なる３つの有機発光部27〜29と、４つの電極30〜33とが交互に積層され、１つの有機発光部と該有機発光部を挟む１組の電極とからなる発光ユニットが複数構成されている。隣り合う発光ユニットのダイオード特性は同じ向きであり、各発光ユニット23〜25の電極間には、スイッチング素子S1〜S3が有機発光部に対して並列に接続されている。バックライトは、各スイッチング素子を直列に接続する電源を備えており、制御装置35により、各スイッチング素子が１つずつ順次開状態に切り替え制御され、かつ残りのスイッチング素子が閉状態に制御される。【選択図】図２
2007172945.tif 000002
【特許請求の範囲】
【請求項１】
発光色が異なる複数の有機発光部と、
前記有機発光部と交互に積層されるとともに前記有機発光部の数より１つ多い複数の電極と、
電源とを備える発光装置であって、
前記複数の有機発光部及び前記複数の電極は、１つの有機発光部と該有機発光部を挟む１組の電極とからなり、且つ、ダイオード特性を有する発光ユニットを複数構成しており、
前記発光ユニットを構成する少なくとも一方の電極は他の発光ユニットの電極を兼ねており、
隣り合う前記発光ユニットのダイオード特性は同じ向きであり、
前記各発光ユニットの前記有機発光部を挟む１組の電極間には該有機発光部に対して
並列に接続されたスイッチが設けられており、
前記各スイッチは前記電源に対して直列に接続されており、
前記複数の発光ユニットのうち発光させたい一の発光ユニットの有機発光部に対して並列に接続された前記スイッチを開状態に制御するとともに残りの発光ユニットの前記スイッチを閉状態に制御する制御手段を備えている
ことを特徴とする発光装置。
【請求項２】
前記制御手段は、前記複数の発光ユニットが順次発光するように前記各スイッチを１つずつ順次開状態に切り替え制御し、且つ、前記各スイッチのオンデューティを制御することにより単位時間当たりに各発光ユニットの前記有機発光部に流れる電流量を変更する請求項１に記載の発光装置。
【請求項３】
前記電源には電源スイッチが設けられ、前記制御手段は、前記電源スイッチのオンデューティを制御することにより単位時間当たりに前記複数の発光ユニット全体に流れる平均電流量を制御する請求項１又は請求項２に記載の発光装置。
【請求項４】
少なくとも赤、緑及び青の３原色を選択的に発光するバックライトと、前記バックライトの発光に同期して特定領域を選択的に透光可能として開口することにより前記バックライトからの出射光で所望の表示を行う液晶パネルとを備えるフィールドシーケンシャル液晶表示装置であって、
前記バックライトは、
発光色が赤、緑及び青の３つの有機発光部を含む複数の有機発光部と、
前記各有機発光部と交互に積層されるとともに前記有機発光部の数より１つ多い複数の電極と、電源とを備え、
前記複数の有機発光部及び前記複数の電極は１つの有機発光部と該有機発光部を挟む１組の電極とからなり、且つ、ダイオード特性を有する発光ユニットを複数構成しており、
前記発光ユニットを構成する少なくとも一方の電極は他の発光ユニットの電極を兼ねており、
隣り合う前記発光ユニットのダイオード特性は同じ向きであり、
前記発光ユニットの前記有機発光部を挟む１組の電極間には該有機発光部に対して並列に接続されたスイッチが設けられており、
前記各スイッチは前記電源に対して直列に接続されており、
前記複数の発光ユニットが順次発光するように前記各スイッチを１つずつ順次開状態に切り替え制御するとともに残りのスイッチを閉状態に制御する制御手段を備えていることを特徴とするフィールドシーケンシャル液晶表示装置。
【請求項５】
発光色が異なる複数の有機発光部と、
前記有機発光部と交互に積層されるとともに前記有機発光部の数より１つ多い複数の電極と、電源とを備え、
前記複数の有機発光部及び前記複数の電極は１つの有機発光部と該有機発光部を挟む１組の電極とからなり、且つ、ダイオード特性を有する発光ユニットを複数構成しており、
前記発光ユニットを構成する少なくとも一方の電極は他の発光ユニットの電極を兼ねており、
隣り合う前記発光ユニットのダイオード特性は同じ向きであり、
前記各発光ユニットの前記有機発光部を挟む１組の電極間には該有機発光部に対して並列に接続されたスイッチが設けられており、
前記各スイッチは前記電源に対して直列に接続されている発光装置の駆動方法であって、
前記複数の発光ユニットのうち発光させたい一の発光ユニットの有機発光部に対して並列に接続された前記スイッチを開状態に制御するとともに残りのスイッチを閉状態に制御することを特徴とする発光装置の駆動方法。
【発明の詳細な説明】
【技術分野】
【０００１】
本発明は、発光装置及びその駆動方法並びにフィールドシーケンシャル液晶表示装置に係り、詳しくは有機ＥＬ素子（有機エレクトロルミネッセンス素子）を光源とする発光装置及びその駆動方法並びにフィールドシーケンシャル液晶表示装置に関する。
【背景技術】
【０００２】
近年、液晶カラー表示装置のバックライトとして白色発光の有機ＥＬ素子を使用することが提案されている。有機ＥＬ素子で白色発光を行わせるには、ＲＧＢの３原色を発光させる方法と、例えば、青色と黄色などの補色関係の色を発光させる方法とがある。
【０００３】
ＲＧＢの３原色からなる白色発光を行う有機ＥＬ素子として、一対の電極間に赤色（Ｒ）の発光層、緑色（Ｇ）の発光層及び青色（Ｂ）の発光層を積層した発光層を設けたものや、一対の電極間に赤色（Ｒ）の発光層、緑色（Ｇ）の発光層及び青色（Ｂ）の発光層が塗り分けられた構成の発光層を設けたものがある。
【０００４】
また、複数の有機発光デバイスが積層されたスタック型有機発光デバイスも提案されている（例えば、特許文献１参照。）。このデバイスは、図７に示すように、透明な基板６０上に陽極層６１、正孔輸送層６２ｈ、電子輸送層としても働く有機ＥＬ層６２ｅ、電極層６３、正孔輸送層６４ｈ、電子輸送層としても働く有機ＥＬ層６４ｅ、電極層６５、絶縁層６６、電極層６７、正孔輸送層６８ｈ、電子輸送層としても働く有機ＥＬ層６８ｅ、電極層６９が順に積層されている。有機ＥＬ層６２ｅは青色に発光し、有機ＥＬ層６４ｅは緑色に発光し、有機ＥＬ層６８ｅは赤色に発光する。電極層６３，６５，６７はアースに接続されている。陽極層６１、電極層６３，６５，６７，６９は電源７０，７１，７２にそれぞれ接続されている。このスタック型有機発光デバイスは、陽極層６１と有機ＥＬ層６２ｅと電極層６３とから構成される発光ユニットと、電極層６３と有機ＥＬ層６４ｅと電極層６５とから構成される発光ユニットと、電極層６７と有機ＥＬ層６８ｅと電極層６９とから構成される発光ユニットとを備えており、隣り合う発光ユニットのダイオード特性が同じ向きになっている。また、特許文献１には、隣り合う発光ユニットのダイオード特性が逆向きになるように、各有機ＥＬ層及び各電極層が積層されたスタック型有機発光デバイスも提案されている。
【０００５】
また、対向する陽極と陰極の間に、発光ユニットを複数個有する有機ＥＬ素子において、各発光ユニットが中間層によって仕切られており、中間層が取り出し電極を有し、取り出し電極が任意の中間層の取り出し電極、陽極及び陰極に選択的に接続できるスイッチング回路を有するものが提案されている（例えば、特許文献２参照。）。この有機ＥＬ素子は、複数の発光ユニットの一部に不具合が発生した場合、その発光ユニットを回避して電流が流れるようにスイッチング回路のスイッチが接続された状態で有機ＥＬ素子が使用される。
【０００６】
また、フィールドシーケンシャル液晶表示装置として、バックライトに赤（Ｒ）、緑（Ｇ）、青（Ｂ）の３原色を選択的に発光する有機ＥＬ発光パネルを用いるものが開示されている（例えば、特許文献３参照。）。特許文献３の有機ＥＬ発光パネルは、基板上に形成された第１電極層と、該第１電極層上に互いに区分されて形成された赤、緑、青の３原色を発する３種類の有機ＥＬ発光層と、該有機ＥＬ発光層上に形成された第２電極層とを備えている。そして、有機ＥＬ発光パネルからの３原色の選択発光及び液晶シャッタ表示パネルの表示パターンを順次、高速で切り換えて、赤、緑、青のそれぞれの表示パターンを時分割方式で連続的に表示することにより、カラー表示を行う。
【特許文献１】特表２００１−５１１２９６号公報
【特許文献２】特開２００５−２９４０５８号公報
【特許文献３】特開２０００−２４１８１１号公報
【発明の開示】
【発明が解決しようとする課題】
【０００７】
特許文献１のスタック型有機発光デバイスは、赤色、緑色、青色に発光する有機ＥＬ層毎に電源が設けられており、赤色、緑色、青色の原色を単独で必要とする場合以外は複数の有機ＥＬ層が同時に発光するようになっている。従って、電源の数が多くなり、その分小型化が難しくなる。また、このスタック型有機発光デバイスは、フィールドシーケンシャル液晶表示装置のバックライトとしての利用に関してはなんら配慮がなされていない。
【０００８】
特許文献２の有機ＥＬ素子は、複数の発光ユニットを備えているが、各発光ユニットは同じ構成で、同じ色を発光する。また、各発光ユニットに対応してスイッチが設けられているが、スイッチは、不具合が生じた発光ユニットに電流を供給するのを停止するためのものであり、複数の発光ユニットのうちの任意の発光ユニットを発光させるという思想はなんら開示されていない。また、特許文献１のスタック型有機発光デバイスと同様に、フィールドシーケンシャル液晶表示装置のバックライトとしての利用に関してもなんら配慮がなされていない。
【０００９】
特許文献３のフィールドシーケンシャル液晶表示装置は、バックライトとして赤（Ｒ）、緑（Ｇ）、青（Ｂ）の３原色を選択的に発光する有機ＥＬ発光パネルを用いる。しかし、赤、緑、青の３原色を発する３種類の各有機ＥＬ発光層は、基板上に形成された第１の電極層上に互いに区分されて形成されている。つまり、液晶パネルの一画素の下には、互いに区分されて形成された赤、緑、青の３原色を発する有機ＥＬ発光層が設けられているのである。従って、高精細な画面表示を達成しようとすると、各色の有機ＥＬ発光層を微細に塗り分ける必要があるが、マスクなどの都合上、微細な塗り分けは困難である。また、互いに区分されて形成された赤、緑、青の３原色を発する有機ＥＬ発光層では、一画素において各色を発光する部分が実質的に１／３となり開口率が低くなってしまう。
【００１０】
本発明は、前記従来の問題に鑑みてなされたものであって、その目的は異なる発光色で発光する各有機発光部を効率良く発光させることができる発光装置及びその駆動方法を提供することにある。また、別の目的は簡単な構成の有機ＥＬ素子をバックライトとしたフィールドシーケンシャル液晶表示装置を提供することにある。
【課題を解決するための手段】
【００１１】
前記の目的を達成するために、請求項１に記載の発明は、発光色が異なる複数の有機発光部と、前記有機発光部と交互に積層されるとともに前記有機発光部の数より１つ多い複数の電極と、電源とを備える発光装置である。前記複数の有機発光部及び前記複数の電極は、１つの有機発光部と該有機発光部を挟む１組の電極とからなり、且つ、ダイオード特性を有する発光ユニットを複数構成しており、前記発光ユニットを構成する少なくとも一方の電極は他の発光ユニットの電極を兼ねている。また、隣り合う前記発光ユニットのダイオード特性は同じ向きであり、前記各発光ユニットの前記有機発光部を挟む１組の電極間には該有機発光部に対して並列に接続されたスイッチが設けられている。そして、前記各スイッチは前記電源に対して直列に接続されており、前記複数の発光ユニットのうち発光させたい一の発光ユニットの有機発光部に対して並列に接続された前記スイッチを開（オフ）状態に制御するとともに残りの発光ユニットの前記スイッチを閉（オン）状態に制御する制御手段を備えている。
【００１２】
ここで、「有機発光部」は単層の有機層で構成されている場合に限らず、一般には、正孔注入層、正孔輸送層、電子注入層、電子輸送層、正孔ブロック層、電子ブロック層、バッファー層等のうちの１層以上と発光層との組み合わせにより構成される。また、「ダイオード特性が同じ向きである」とは、有機発光部に電圧が印加された状態において有機発光部中を移動する正孔の移動方向が同じであることを意味する。
【００１３】
この発明では、発光色が異なる複数の有機発光部と同じ数の発光ユニットが積層されるとともに、各発光ユニットの有機発光部と並列に接続されたスイッチが開（オフ）状態になるとその発光ユニットが発光する。複数の発光ユニットのうち１つの発光ユニットが選択的に発光するように、制御手段によって各スイッチの開閉（オン・オフ）制御が行われる。即ち、複数のスイッチは同時に開状態にならないように制御される。従って、複数の発光ユニットは電源に対して直列に接続された状態であるが、各発光ユニットが発光する際には、電源の電力は当該発光する発光ユニットにのみ供給される状態となる。従って、各発光ユニットの構成、材料、膜厚等を電源から供給される電力で最適に発光する値に設定することができ、各発光ユニットを最高の効率で発光させることができる。
【００１４】
請求項２に記載の発明は、請求項１に記載の発明において、前記制御手段は、前記複数の発光ユニットが順次発光するように前記各スイッチを１つずつ順次開状態に切り替え制御し、且つ、前記各スイッチのオンデューティを制御することにより単位時間当たりに各発光ユニットの前記有機発光部に流れる電流量を変更する。ここで、「各スイッチのオンデューティ」とは、単位時間当たりにおいて、発光するように選択された一の発光ユニット以外の各発光ユニットのスイッチが閉（オン）状態となる時間の割合を示す。言い換えれば、これは、単位時間当たりにおいて、発光するように選択された一の発光ユニットのスイッチが開（オフ）状態となる時間の割合を示す。この発明では、各スイッチのオンデューティが、変更されることにより、発光装置から出射される光の発光色が変更される。例えば、発光ユニットの数を３個で発光色を赤、緑、青とするとともに、人間の眼（網膜）の残像持続時間内で各発光ユニットの発光状態を切り替え制御した場合、見かけ上フルカラーの発光色を発光させる発光装置が可能になる。
【００１５】
請求項３に記載の発明は、請求項１又は請求項２に記載の発明において、前記電源には電源スイッチが設けられ、前記制御手段は、前記電源スイッチのオンデューティを制御することにより単位時間当たりに前記複数の発光ユニット全体に流れる平均電流量を制御する。ここで、「電源スイッチのオンデューティ」とは、単位時間当たりにおいて、電源スイッチが閉（オン）状態となっており発光装置に電流を供給している時間の割合を示す。この発明では、輝度の変更が可能になる。
【００１６】
請求項４に記載の発明は、少なくとも赤、緑及び青の３原色を選択的に発光するバックライトと、前記バックライトの発光に同期して特定領域を選択的に透光可能として開口することにより前記バックライトからの出射光で所望の表示を行う液晶パネルとを備えるフィールドシーケンシャル液晶表示装置である。前記バックライトは、発光色が赤、緑及び青の３つの有機発光部を含む複数の有機発光部と、前記各有機発光部と交互に積層されるとともに前記有機発光部の数より１つ多い複数の電極と、電源とを備えている。前記複数の有機発光部及び前記複数の電極は１つの有機発光部と該有機発光部を挟む１組の電極とからなり、且つ、ダイオード特性を有する発光ユニットを複数構成しており、前記発光ユニットを構成する少なくとも一方の電極は他の発光ユニットの電極を兼ねている。隣り合う前記発光ユニットのダイオード特性は同じ向きであり、前記各発光ユニットの前記有機発光部を挟む１組の電極間には該有機発光部に対して並列に接続されたスイッチが設けられている。また、前記各スイッチは前記電源に対して直列に接続されており、前記複数の発光ユニットが順次発光するように前記各スイッチを１つずつ順次開状態に切り替え制御するとともに残りのスイッチを閉状態に制御する制御手段を備えている。
【００１７】
この発明では、バックライトとして請求項１の発光装置と基本的に同じ構成で、少なくとも赤、緑及び青の３原色を選択的に発光することができる発光装置が使用されている。従って、液晶表示装置の画面全体を１度走査するのに必要な時間、即ち１フレーム時間内で各発光ユニットを順次発光させるとともに、バックライトの発光に同期して液晶パネルの特定領域を選択的に透光可能に制御することで、フルカラー表示が行われる。また、この発明では、Ｒ，Ｇ，Ｂ各色の発光層が互いに区分されて形成された従来のバックライトに比較して構造が簡単になり、その製造が容易になる。
【００１８】
請求項５に記載の発明は、発光色が異なる複数の有機発光部と、前記有機発光部と交互に積層されるとともに前記有機発光部の数より１つ多い複数の電極と、電源とを備え、前記複数の有機発光部及び前記複数の電極は１つの有機発光部と該有機発光部を挟む１組の電極とからなり、且つ、ダイオード特性を有する発光ユニットを複数構成しており、前記発光ユニットを構成する少なくとも一方の電極は他の発光ユニットの電極を兼ねており、隣り合う前記発光ユニットのダイオード特性は同じ向きであり、前記各発光ユニットの前記有機発光部を挟む１組の電極間には該有機発光部に対して並列に接続されたスイッチが設けられており、前記各スイッチは前記電源に対して直列に接続されている発光装置の駆動方法である。そして、前記複数の発光ユニットのうち発光させたい一の発光ユニットの有機発光部に対して並列に接続された前記スイッチを開状態に制御するとともに残りのスイッチを閉状態に制御する。
【００１９】
この発明では、異なる発光色で発光する各有機発光部を効率良く発光させることができる発光装置の出射光の色を適切に変更することができる。
【発明の効果】
【００２０】
請求項１〜請求項５に記載の発明によれば、異なる発光色で発光する各有機発光部を効率良く発光させることができる。また、請求項４に記載の発明では、簡単な構成の有機ＥＬ素子をバックライトとしたフィールドシーケンシャル液晶表示装置を提供することができる。
【発明を実施するための最良の形態】
【００２１】
（第１の実施形態）
以下、本発明をフィールドシーケンシャル液晶表示装置に具体化した第１の実施形態を図１〜図４にしたがって説明する。
【００２２】
図１（ａ）に示すように、フィールドシーケンシャル液晶表示装置１１は、透過型の液晶パネル１２と、その背面（表示面と反対側の面で、図１（ａ）における下側の面）側に配置されるバックライト１３とを備えている。
【００２３】
液晶パネル１２は、公知のフィールドシーケンシャル液晶表示装置の液晶パネルと基本的に同じ構成である。
図１（ｂ）に示すように、液晶パネル１２は、一対の透明な第１及び第２基板１４，１５を備え、両基板１４，１５は所定の間隔を保った状態で、図示しないシール材により貼り合わされている。基板１４，１５は例えばガラス製である。両基板１４，１５の間に液晶１６が封止されている。液晶１６は、例えば、応答速度が早く高速切り換え可能なＯＣＢ（Optically Compensated Bend）モードのネマチック液晶が使用される。
【００２４】
バックライト１３側に配置された第１基板１４の、液晶１６と対向する面には、多数の画素電極１７と、それら画素電極１７にそれぞれ接続された多数のＴＦＴ（薄膜トランジスタ）１８とが形成されている。画素電極１７はＩＴＯ（インジウム錫酸化物）で形成されている。また、第１基板１４の液晶１６と反対側の面には、偏光板１９が配設されている。第２基板１５の液晶１６と対向する面には全画素共通の透明電極２０が形成されている。透明電極２０もＩＴＯで形成されている。第２基板１５の液晶１６と反対側の面には偏光板２１が配設されている。
【００２５】
図２に示すように、バックライト１３は、基板２２上に発光色が赤、緑及び青の３つの発光ユニット２３，２４，２５が積層された有機ＥＬ素子２６を備えた発光装置で構成されている。有機ＥＬ素子２６は、発光色が赤、緑及び青の３つの有機発光部２７，２８，２９と、各有機発光部２７，２８，２９と交互に積層されるとともに有機発光部の数より１つ多い電極３０，３１，３２，３３とが、各発光ユニット２３〜２５のダイオード特性が同じ向きになるように構成されている。即ち、有機ＥＬ素子２６は、有機発光部の数（この実施形態では３個）と同じ数の発光ユニット２３〜２５で構成されている。３個の発光ユニット２３，２４，２５は、青色に発光する発光ユニット２５、緑色に発光する発光ユニット２４及び赤色に発光する発光ユニット２３の順に基板２２上に積層されている。
【００２６】
この実施形態では、基板２２として透明なガラス基板が使用されている。また、基板２２と対向する電極３０は陽極を構成するとともに、公知の有機ＥＬ素子で透明電極として用いられるＩＴＯ（インジウム錫酸化物）により形成されている。また、基板２２と最も離れた位置に配置された電極３３は陰極を構成し、有機ＥＬ素子の陰極に適した金属、例えばアルミニウムにより形成されるとともに光反射性を有している。有機発光部２７，２８及び有機発光部２８，２９に挟まれた状態で配置される電極３１，３２は電極３０と同様に、ＩＴＯにより形成されるとともに、基板２２側の面に、有機ＥＬ素子の陰極に適した金属層（図示せず）が光透過性を有する薄い膜厚で形成されている。金属層には、仕事関数の低い金属が使用され、例えば、アルミニウム、銀、マグネシウムあるいはその合金が使用される。有機ＥＬ素子２６は、有機発光部２７〜２９から発せられた光が基板２２側から取り出される（出射される）所謂ボトムエミッションタイプに構成されている。有機ＥＬ素子２６は、有機発光部２７，２８，２９が水分（水蒸気）及び酸素の悪影響を受けないように、保護膜３４（図１（ｂ）に図示）で被覆されている。保護膜３４は、例えば、窒化ケイ素で形成されている。
【００２７】
各発光ユニット２３〜２５の有機発光部２７〜２９を挟む１組の電極３２，３３、３１，３２、３０，３１を接続状態及び非接続状態に切り換えるスイッチとしてのスイッチング素子Ｓ１，Ｓ２，Ｓ３は、それぞれ、有機発光部２７〜２９に対して並列に接続されている。また、各スイッチング素子Ｓ１，Ｓ２，Ｓ３及び電源スイッチＳＥは、電源Ｅに対して直列に接続されている。制御手段としての制御装置３５は、スイッチング素子Ｓ１，Ｓ２，Ｓ３及び電源スイッチＳＥの制御端子に接続されている。
【００２８】
制御装置３５はマイクロコンピュータ（図示せず）を備え、複数の発光ユニット２３，２４，２５のうち発光させたい一の発光ユニットの有機発光部に対して並列に接続された１つのスイッチング素子（例えば、スイッチング素子Ｓ１）を開状態に、残りの発光ユニットのスイッチング素子（例えば、スイッチング素子Ｓ２，Ｓ３）を閉状態に制御する。また、制御装置３５は、電源スイッチＳＥのオンデューティを制御することにより、単位時間当たりに発光ユニット２３，２４，２５全体に流れる平均電流量を制御する。
【００２９】
図１（ｂ）に示すように、各有機発光部２７〜２９は、それぞれ各有機発光部２７〜２９を挟む１組の電極のうち基板２２に近い電極側から順に、正孔注入層３６、正孔輸送層３７、発光層３８、電子輸送層３９及び電子注入層４０が積層されて形成されている。
【００３０】
赤色発光を行う有機発光部２７は、正孔注入層３６として膜厚２０ｎｍのＣｕＰｃ（銅フタロシアニン）層、正孔輸送層３７として膜厚５０ｎｍのＴＰＤ（トリフェニルアミンの２量体）層がそれぞれ使用されている。発光層３８はＴＰＤをホストとし、ＤＣＪＴをドーパントとして膜厚３０ｎｍに形成されるとともに、ＤＣＪＴはＴＰＤに対して１ｗｔ％になるように含有されている。電子輸送層３９として膜厚２０ｎｍのＡｌｑ３（トリス（８−ヒドロキシキノリノラト）アルミニウム）層、電子注入層４０に膜厚１ｎｍのＬｉＦ（フッ化リチウム）層がそれぞれ使用されている。
【００３１】
緑色発光を行う有機発光部２８は、正孔注入層３６として膜厚２０ｎｍのＣｕＰｃ層、正孔輸送層３７として膜厚５０ｎｍのＴＰＤ層がそれぞれ使用されている。発光層３８はＡｌｑ３をホストとし、キナクリドンをドーパントとして膜厚３０ｎｍに形成されるとともに、キナクリドンはＡｌｑ３に対して２ｗｔ％になるように含有されている。電子輸送層３９として膜厚２０ｎｍのＡｌｑ３層、電子注入層４０に膜厚１ｎｍのＬｉＦ層がそれぞれ使用されている。
【００３２】
青色発光を行う有機発光部２９は、正孔注入層３６として膜厚２０ｎｍのＣｕＰｃ層、正孔輸送層３７として膜厚５０ｎｍのＴＰＤ層がそれぞれ使用されている。発光層３８はＤＰＶＢｉをホストとし、ＢＣｚＶＢｉをドーパントとして膜厚３０ｎｍに形成されるとともに、ＢＣｚＶＢｉはＤＰＶＢｉに対して４ｗｔ％になるように含有されている。電子輸送層３９として膜厚２０ｎｍのＡｌｑ３層、電子注入層４０に膜厚１ｎｍのＬｉＦ層がそれぞれ使用されている。
【００３３】
図３に示すように、液晶パネル１２及びバックライト１３で構成される表示部４１の外側には、ＴＦＴ１８のゲート電極を駆動するゲートドライバ４２と、ＴＦＴ１８のソース電極（データ電極）を駆動するソースドライバ４３とが設けられている。各ドライバ４２，４３は制御装置３５からの制御信号により駆動制御される。即ち、制御装置３５は液晶パネル１２及びバックライト１３を制御する。なお、図３では、各スイッチング素子Ｓ１，Ｓ２，Ｓ３及び電源スイッチＳＥをまとめてブロック４４として表している。
【００３４】
制御装置３５は、順次駆動で各スイッチング素子Ｓ１〜Ｓ３のオン・オフを制御する。制御装置３５は、例えば、液晶パネル１２の画面全体を一度走査する時間、即ち１フレーム時間の１／３ずつ各発光ユニット２３〜２５を点灯させるように各スイッチング素子Ｓ１，Ｓ２，Ｓ３を制御する。
【００３５】
１フレーム時間は任意に設定可能であり、動画を表示する場合において、例えば、１フレーム時間を１／６０秒とすると、制御装置３５は、各スイッチング素子Ｓ１，Ｓ２，Ｓ３を１／６０秒の１／３である１／１８０秒ずつ順次オフにするように制御する。
【００３６】
制御装置３５は、バックライト１３の発光に同期して液晶パネル１２の特定領域を選択的に透光可能として開口することにより、バックライト１３から一定時間間隔で出射される赤、緑、青の光の透過量を調整するように、ゲートドライバ４２及びソースドライバ４３を制御する。
【００３７】
次に上記のように構成された有機ＥＬ素子２６の製造方法を説明する。有機ＥＬ素子２６を製造する際は、先ず基板２２の上に電極３０を構成するＩＴＯ膜を形成する。ＩＴＯ膜はスパッタリング法、真空蒸着法、イオン化蒸着法等の公知の薄膜形成方法によって形成される。次に、このＩＴＯ膜の上に、有機発光部２９を形成する。有機発光部２９は、有機発光部２９を構成する正孔注入層３６、正孔輸送層３７、発光層３８、電子輸送層３９及び電子注入層４０が、例えば、蒸着法により順次積層されることで形成される。
【００３８】
次に、有機発光部２９上に電極３１の一部を構成する金属（例えば、アルミニウム）薄膜を蒸着により形成した後、前記金属薄膜上に電極３１の一部を構成するＩＴＯ膜を蒸着により形成する。この電極３１において、ＩＴＯ膜の一面側に設けられるアルミニウム薄膜は、光が透過する程度に薄く形成される。
【００３９】
次に電極３１のＩＴＯ膜上に、有機発光部２８を形成する。有機発光部２８は、有機発光部２８を構成する正孔注入層３６、正孔輸送層３７、発光層３８、電子輸送層３９及び電子注入層４０が、例えば、蒸着法により順次積層されることで形成される。次に有機発光部２８上に電極３２の一部を構成する金属（例えば、アルミニウム）薄膜を蒸着により形成した後、前記金属薄膜上に電極３２の一部を構成するＩＴＯ膜を蒸着により形成する。
【００４０】
次に電極３２のＩＴＯ膜上に、有機発光部２７を形成する。有機発光部２７は、有機発光部２７を構成する正孔注入層３６、正孔輸送層３７、発光層３８、電子輸送層３９及び電子注入層４０が、例えば、蒸着法により順次積層されることで形成される。次に有機発光部２７上に電極３３を構成するアルミニウム膜を蒸着により形成した後、最後に保護膜３４を形成する。保護膜３４として窒化ケイ素等のセラミック膜を形成する場合、セラミック膜は、例えば、プラズマＣＶＤ法で形成される。
【００４１】
次に前記のように構成されたフィールドシーケンシャル液晶表示装置１１の作用を説明する。
フィールドシーケンシャル液晶表示装置１１の電源が投入され、液晶パネル１２の表示画面に画像を表示させる際、バックライト１３においては、制御装置３５からの指令信号により、電源スイッチＳＥがオン状態に保持される。そして、その状態で制御装置３５からの指令信号により、各スイッチング素子Ｓ１〜Ｓ３が順次駆動で、液晶パネル１２の１フレーム時間の１／３ずつ各発光ユニット２３〜２５を点灯させるように制御される。例えば、動画を表示する場合において、各スイッチング素子Ｓ１，Ｓ２，Ｓ３は、１／１８０秒ずつ順次オフになるように制御される。
【００４２】
例えば、スイッチング素子Ｓ１がオフ（開状態）のときは、他のスイッチング素子Ｓ２，Ｓ３はオン（閉状態）になる。その状態では、電源Ｅから供給される電流はスイッチング素子Ｓ３，Ｓ２を介して電極３２、有機発光部２７及び電極３３へと流れ、有機発光部２７が赤色に発光する。また、スイッチング素子Ｓ２がオフ（開状態）のときは、他のスイッチング素子Ｓ１，Ｓ３はオン（閉状態）になる。その状態では、電源Ｅから供給される電流はスイッチング素子Ｓ３を介して電極３１、有機発光部２８、電極３２及びスイッチング素子Ｓ１へと流れ、有機発光部２８が緑色に発光する。また、スイッチング素子Ｓ３がオフ（開状態）のときは、他のスイッチング素子Ｓ１，Ｓ２はオン（閉状態）になる。その状態では、電源Ｅから供給される電流は電極３０、有機発光部２９、電極３１、スイッチング素子Ｓ２，Ｓ１へと流れ、有機発光部２９が青色に発光する。
【００４３】
一方、液晶パネル１２においては、制御装置３５からの指令信号により、ゲートドライバ４２からアドレス信号が出力されて１列毎に各ＴＦＴ１８がオン状態になり、ソースドライバ４３から出力されたデータ信号により各画素電極１７にデータが書き込まれる。書き込まれたデータは当該画素電極１７の図示しない蓄積キャパシタに充放電電荷として蓄積される。そして、次のデータ書き込みが行われるまで、その電荷に対応した大きさの電圧が当該画素電極１７に印加される状態に保持される。各画素電極１７への印加電圧が大きいほど、当該画素電極１７に対向する液晶１６の部分を透過する光量が増加するようになる。液晶パネル１２は、バックライト１３の発光に同期して特定領域が選択的に透光可能となるように開口される。
【００４４】
図４はフィールドシーケンシャル法によるフルカラー表示原理を示す図であり、図において横軸は時間を示す。バックライト１３は、図４に示すようにＲ（赤）、Ｇ（緑）、Ｂ（青）の順に一定時間ずつ点灯される。バックライトの点灯に同期して、画素電極１７と対応する液晶１６の配向状態が制御されることにより、バックライトから出射される光が当該液晶パネル１２を透過する割合が調整される。そして、点灯周期のうち、赤の点灯時のみ透過（ｏｐｅｎ）状態にすると当該画素は赤を表示し、緑の点灯時のみ透過状態にすると、当該画素は緑を表示し、青の点灯時のみ透過状態にすると、当該画素は青を表示する。
【００４５】
点灯周期のうち、赤及び緑の点灯時を透過状態にすると当該画素は赤及び緑の中間色である黄色を表示し、緑及び青の点灯時を透過状態にすると、当該画素は緑及び青の中間色であるシアンを表示し、赤及び青の点灯時を透過状態にすると、当該画素は赤及び青の中間色であるマゼンタを表示する。また、点灯周期のうち全期間を透過状態にすると当該画素は白を表示し、全期間を非透過（ｃｌｏｓｅ）状態にすると当該画素は黒を表示する。
【００４６】
さらに、画素電極１７と対応する液晶の配向状態を全開（完全なｏｐｅｎ）状態と非透過（ｃｌｏｓｅ）状態とに調整するのではなく、開状態として光の一部を透過する状態にして、１周期のうち、赤、緑、青の液晶を透過する光の透過量を調整すると、当該画素は任意の中間色を表示する。従って、カラーフィルタを用いることなく、１つの画素と対応する液晶（シャッタ）を１フレーム時間内において時分割で開閉制御することにより、フルカラーの表示が行われる。
【００４７】
この実施形態では以下の効果を有する。
（１）フィールドシーケンシャル液晶表示装置１１のバックライト１３が、赤、緑及び青の３原色を選択的に発光する３つの発光ユニット２３〜２５が積層された有機ＥＬ素子２６を備えている。そして、各発光ユニット２３〜２５が制御装置３５により１つずつ順次一定時間間隔で点灯される。従って、カラーフィルタを用いるとともに赤、緑、青の３個のサブ画素１組で１画素が構成される従来のカラーフィルタ方式の液晶表示装置と異なり、カラーフィルタを通過する際の光の損失（ロス）がなくなり、カラーフィルタ方式と同じ透過光強度を得るためのバックライトの光量が少なくてすむ。また、１画素の下に発光領域が分割されることなく赤、緑、青の光源が配置されるため、カラーフィルタ方式に比較して１画素において各色を発光する領域が広がる。即ち、１画素の開口率を向上させることができ、バックライト１３からの光を効率良く取り出すことができる。さらに、カラーフィルタ方式と同じ解像度に必要な画素数が１／３になるため、より高精細な表示装置を提供することができる。
【００４８】
（２）各発光ユニット２３〜２５の有機発光部２７〜２９を挟む１組の電極３２，３３、３１，３２、３０，３１を接続状態及び非接続状態に切り換えるため、有機発光部２７〜２９に対応してそれぞれ並列に接続されたスイッチング素子Ｓ１〜Ｓ３が、１つずつ順次開状態に残りのスイッチング素子が閉状態に制御装置３５により制御される。従って、バックライト１３を１フレーム時間の１／３ずつ各発光ユニット２３〜２５を点灯させるように制御する構成が容易になる。また、複数の発光ユニット２３〜２５が電源Ｅに対して直列に接続されているが、各発光ユニット２３〜２５は、１つの発光ユニットのみに電源Ｅの電力が供給される状態で発光する。従って、電源Ｅが１つであっても、各発光ユニット２３〜２５の構成、材料、膜厚等を１つの電源Ｅから供給される電力で最適に発光する値に設定することにより、各発光ユニット２３〜２５は最高の効率で発光することができる。
【００４９】
（３）有機発光部２７，２８及び有機発光部２８，２９の間に配置された電極３１，３２が、ＩＴＯ膜の基板２２と対応する側（基板２２に近い側）の片面に有機ＥＬ素子の陰極に適した金属製で光透過性を有する薄膜層が形成された構成になっている。ＩＴＯ膜の表面の仕事関数は正孔の注入に適した値のため陽極としては適しているが、陰極としては仕事関数の小さい金属の方が好ましい。電極３１，３２がＩＴＯのみで構成されていると、電極３１，３２が陰極として機能する状態においては、電極３１，３２の表面の仕事関数は電子の注入に適した値とはならない。しかし、電極３１，３２が、ＩＴＯ膜の片面に前記金属薄膜層が形成されているため、電極３１，３２がスイッチング素子Ｓ１〜Ｓ３の開閉状態によって陽極として機能する状態に切り換えられた場合でも、陰極として機能する状態に切り換えられた場合でも適正な状態で機能することができる。
【００５０】
（４）電源Ｅに電源スイッチＳＥが直列に接続されているため、制御装置３５により電源スイッチＳＥのオンデューティを制御して、単位時間当たりに、バックライト１３、つまり、発光ユニット２３〜２５に流れる平均電流量を変更することにより、表示部４１全体の輝度の調整が可能になる。
【００５１】
（第２の実施形態）
次に、本発明を照明装置に具体化した第２の実施形態を図５及び図６を参照しながら説明する。なお、第２の実施形態は、発光ユニットの数及び発光色が異なる点が第１の実施形態のバックライト１３と異なっており、その他の構成は第１の実施形態のバックライト１３と基本的に同様であるため、同様の部分についてはその詳細な説明を省略する。
【００５２】
図５に示すように、発光装置としての照明装置４５は、基板２２上に発光色が青及び黄の２つの発光ユニット２５，４６が積層された有機ＥＬ素子４７を備えている。有機ＥＬ素子４７は、発光色が青及び黄の２つの有機発光部２９，４８と、各有機発光部２９，４８と交互に積層されるとともに有機発光部の数より１つ多い電極３０，３１，３３とを備えており、各発光ユニット２５，４６のダイオード特性が同じ向きになるように構成されている。即ち、有機ＥＬ素子４７は、有機発光部の数（この実施形態では２個）と同じ数の発光ユニット２５，４６で構成されている。２個の発光ユニット２５，４６は、青色に発光する発光ユニット２５、黄色に発光する発光ユニット４６の順に基板２２上に積層されている。
【００５３】
各有機発光部２９，４８は、それぞれ各有機発光部２９，４８を挟む１組の電極のうち基板２２に近い電極側から順に、正孔注入層３６、正孔輸送層３７、発光層３８、電子輸送層３９及び電子注入層４０が積層されて形成されている。
【００５４】
黄色発光を行う有機発光部４８は、正孔注入層３６として膜厚２０ｎｍのＣｕＰｃ層、正孔輸送層３７として膜厚５０ｎｍのＴＰＤ層がそれぞれ使用されている。発光層３８はＡｌｑ３をホストとし、ルブレンをドーパントとして膜厚３０ｎｍに形成されるとともに、ルブレンはＡｌｑ３に対して４ｗｔ％になるように含有されている。電子輸送層３９として膜厚２０ｎｍのＡｌｑ３層、電子注入層４０に膜厚１ｎｍのＬｉＦ層がそれぞれ使用されている。また、青色発光を行う有機発光部２９は、第１の実施形態と同じ構成である。
【００５５】
各発光ユニット２５，４６の有機発光部２９，４８を挟む１組の電極３０，３１、３１，３３を接続状態及び非接続状態に切り換えるスイッチとしてのスイッチング素子Ｓ３，Ｓ１は、それぞれ、有機発光部２９，４８に対して並列に接続されている。また、各スイッチング素子Ｓ３，Ｓ１及び電源スイッチＳＥは、電源Ｅに対して直列に接続されている。制御手段としての制御装置３５は、スイッチング素子Ｓ１，Ｓ３及び電源スイッチＳＥの制御端子に接続されている。
【００５６】
制御装置３５は、複数の有機発光部２９，４８のうち発光させたい有機発光部に対して並列に接続された１つのスイッチング素子（例えば、スイッチング素子Ｓ１）を開状態に、残りのスイッチング素子（例えば、スイッチング素子Ｓ３）を閉状態に制御する。
【００５７】
制御装置３５は、照明装置４５から青色の光を出射する際には、青色発光の発光ユニット２５が駆動し、黄色の光を出射する際には、黄色発光の発光ユニット４６が駆動するように、各スイッチング素子Ｓ１，Ｓ３のオン・オフを制御する。また、黄色と青色との混合割合を調整することにより得られる色の光を出射する際には、光が人の眼に残像として残る時間内における青色及び黄色の発光ユニット２５，４６の発光時間の割合を調整するようにスイッチング素子Ｓ１，Ｓ３のオン・オフを制御する。また、制御装置３５は、電源スイッチＳＥのオンデューティを制御することにより、単位時間当たりに発光ユニット２５，４６全体に流れる平均電流量を制御する。
【００５８】
制御装置３５はマイクロコンピュータ（図示せず）を備え、照明装置４５から出射される光の色と、各スイッチング素子Ｓ１，Ｓ３のオン・オフ時間の関係や、照明装置４５の輝度と電源スイッチＳＥのオンデューティとの関係をマップや関係式として記憶している。制御装置３５は入力装置（図示せず）を備えており、入力装置で入力（設定）された発光色及び輝度となるように各スイッチング素子Ｓ１，Ｓ３及び電源スイッチＳＥを制御するようになっている。
【００５９】
次に前記のように構成された照明装置４５の作用を説明する。
照明装置４５の電源が投入され、入力装置により発光色が入力されると、制御装置３５は入力装置で入力された色の発光色を出力するようにスイッチング素子Ｓ１，Ｓ３のオン・オフ状態を制御する。図６は照明装置４５から出射される光の色と、制御装置３５が青色に発光する発光ユニット２５及び黄色に発光する発光ユニット４６をオン状態又はオフ状態にする時間の関係を示す図である。
【００６０】
制御装置３５は、光が人の眼に残像として残る時間内の所定時間を１周期としてスイッチング素子Ｓ１，Ｓ３を１周期内で、同時にオン（閉）状態及びオフ（開）状態とならないようにオン・オフを制御する。図６に示すように、照明装置４５から青色の出射光を出射させる場合は、１周期の全期間スイッチング素子Ｓ１をオン状態に、かつスイッチング素子Ｓ３をオフ状態に制御する。この場合、電源Ｅから供給される電流は電極３０、有機発光部２９、電極３１、スイッチング素子Ｓ１へと流れ、有機発光部２９が青色に発光する。また、照明装置４５から黄色の出射光を出射させる場合は、１周期の全期間スイッチング素子Ｓ１をオフ状態に、かつスイッチング素子Ｓ３をオン状態に制御する。この場合、電源Ｅから供給される電流はスイッチング素子Ｓ３を介して電極３１、有機発光部４８及び電極３３へと流れ、有機発光部４８が黄色に発光する。
【００６１】
１周期のうち、全期間の半分（例えば前半）をスイッチング素子Ｓ１のオフ状態、即ち黄色の発光状態にし、残りの分（例えば後半）をスイッチング素子Ｓ３のオフ状態、即ち青色の発光状態にすると、照明装置４５は黄色と青色が等しい割合で混合されて見かけ上白色を出射する。また、１周期のうち、黄色の発光状態の期間と青の発光状態の期間とが等しくならないようにスイッチング素子Ｓ１，Ｓ３のオン・オフの期間を設定して制御すると、黄色と青色が混合された割合に対応した白色でない中間色の光が照明装置４５から出射される。
【００６２】
この第２の実施形態においては、次の効果を有する。
（５）各発光ユニット２５，４６の有機発光部２９，４８を挟む１組の電極３０，３１、３１，３３を接続状態及び非接続状態に切り換えるため、有機発光部２９，４８に対応してそれぞれ並列に接続されたスイッチング素子Ｓ３，Ｓ１が、１つずつ順次開状態に残りのスイッチが閉状態に制御装置３５により制御される。従って、照明装置４５を一定周期で各発光ユニット２５，４６を点灯させるように制御する構成が容易になる。また、複数の発光ユニット２５，４６が電源Ｅに対して直列に接続されているが、各発光ユニット２５，４６は、１つの発光ユニットのみに電源Ｅの電力が供給される状態で発光する。従って、電源Ｅが１つであっても、各発光ユニット２５，４６の構成、材料、膜厚等を１つの電源Ｅから供給される電力で最適に発光する値に設定することにより、各発光ユニット２５，４６は最高の効率で発光することができる。
【００６３】
（６）有機発光部２９及び有機発光部４８の間に配置された電極３１が、ＩＴＯ膜の基板２２と対応する側（基板２２に近い側）の片面に有機ＥＬ素子の陰極に適した金属製で光透過性を有する薄膜層が形成された構成になっている。従って、電極３１がＳ１，Ｓ３の開閉状態によって陽極として機能する状態に切り換えられた場合でも、陰極として機能する状態に切り換えられた場合でも適正な状態で機能することができる。
【００６４】
（７）電源Ｅに電源スイッチＳＥが直列に接続されているため、制御装置３５により電源スイッチＳＥのオンデューティを制御して、単位時間当たりに発光ユニット２５，４６全体に流れる平均電流量を変更することにより、照明装置４５の輝度の調整が可能になる。
【００６５】
（８）２組の発光ユニット２５，４６の発光状態を調整することで、照明装置４５は白色の他に青色、黄色及び両色の中間色の光を出射することができる。従って、使用者は照明装置４５の出射光の色を好みの色に変更させることができる。
【００６６】
実施形態は前記に限定されるものではなく、例えば、次のように具体化してもよい。
○  フィールドシーケンシャル液晶表示装置１１のバックライト１３は、少なくとも赤、緑及び青の３原色を選択的に発光可能であればよく、赤、緑及び青の３原色を発光する発光ユニット２３〜２５に加えて、他の色を発光する発光ユニットを加えて４色以上の光を選択的に発光可能な構成としてもよい。他の色として、シアン、マゼンタ、イエローがある。これらの色の光を発光可能な発光ユニットを備えていると、赤、緑及び青の３原色を発光する３個の発光ユニット２３〜２５のみを備えた構成に比較して、色再現性を高めることができ、例えば、液晶カラーディスプレイの画質を、カラー印刷物の画質と同等にできる。
【００６７】
○  第２の実施形態において、照明装置４５として第１の実施形態におけるバックライト１３のように赤、緑及び青の３原色を発光する３組の発光ユニット２３〜２５を備えた構成や、赤、緑及び青の３原色に加えてシアン、マゼンタ、イエロー等の色を発光する発光ユニット備えた構成としてもよい。この場合、第２の実施形態の照明装置４５に比較して照明装置４５から出射される光の種類を多くすることができ、使用者の好みに合わせてより多くの出射光の色を選択することでできる。
【００６８】
○  バックライト１３及び照明装置４５において、全てのスイッチング素子Ｓ１〜Ｓ３又はスイッチング素子Ｓ１，Ｓ３を開（ｏｐｅｎ）状態にした際、有機ＥＬ素子２６，４７が光らない場合は、電源スイッチＳＥを省略してもよい。この場合、電源スイッチＳＥを設けなくても、全てのスイッチング素子Ｓ１〜Ｓ３又はスイッチング素子Ｓ１，Ｓ３を開（ｏｐｅｎ）状態にすることで有機ＥＬ素子２６，４７の発光を停止、即ちバックライト１３及び照明装置４５を消灯させることができる。
【００６９】
○  電源スイッチＳＥのオンデューティを制御して、単位時間当たりに発光ユニット２３〜２５全体又は発光ユニット２５，４６全体に流れる平均電流量を変更することにより、バックライト１３や照明装置４５の輝度（発光量）を調整する構成に代えて、電源Ｅと直列に可変抵抗器を接続する。そして、可変抵抗器の抵抗値を変更（調整）することで、有機発光部２７〜２９全体に流れる平均電流量を変更（調整）する構成にしてもよい。
【００７０】
○  照明装置４５としてスイッチング素子に代えて手動操作でオン・オフの切り換えが行われるスイッチを設けるとともに、スイッチを切り換えて出射光の色を選択する構成にしてもよい。
【００７１】
○  照明装置４５において、複数の発光ユニットにおける発光色の中間色を調整する方法は、複数の発光ユニットの発光時間の割合、即ちスイッチング素子Ｓ１，Ｓ３のオンデューティを変更（調整）して中間色の色を変更する構成に限らない。例えば、各発光ユニットの発光時間は同じにするとともに、発光時における電流量を変更（調整）して、光が人の眼に残像として残る時間内の発光量の割合を変更することにより、中間色の色を変更する構成としてもよい。
【００７２】
○  基板２２上に積層される発光ユニット２３〜２５，４６等の積層順は、発光色が青の発光ユニット２５から基板２２上に積層する構成に限らず、任意の順でよい。
○  有機発光部２７〜２９，４８の構成は、正孔注入層３６、正孔輸送層３７、発光層３８、電子輸送層３９及び電子注入層４０の構成に限らず、少なくとも発光層を含む構成であればよく、例えば、正孔輸送層３７、発光層３８及び電子輸送層３９の３層構成や、発光層３８を挟んで正孔注入輸送層と電子注入輸送層とを設けた３層構成としてもよい。また、有機発光部には、公知の有機ＥＬ層に採用され得るバッファー層や正孔ブロック層等を設けることも当然に可能である。発光層の材料によっては、有機発光部を発光層３８のみから構成してもよい。
【００７３】
○  有機発光部に挟まれた電極３１，３２をＩＴＯと金属薄膜との積層構成とせずに、ＩＴＯ単独で構成してもよい。その場合、有機発光部は、電子輸送層３９及び電子注入層４０を有する構成が好ましい。
【００７４】
○  基板１４，１５，２２はガラスに限らず、透明な樹脂基板やフィルムであってもよい。
○  バックライト１３及び照明装置４５を構成する有機ＥＬ素子２６，４７は、ボトムエミッションタイプに限らず、基板２２と反対側から光を出射するトップエミッションタイプとしてもよい。トップエミッションタイプの有機ＥＬ素子は、基板２２と反対側に配置される電極３３が透明電極で構成され、基板２２側に配置される電極３０は透明電極で構成されても不透明な電極で構成されてもよい。また、基板２２は透明基板に限らず、不透明な基板であってもよい。電極３３を陰極とする場合は薄い金属層で形成するか、電極３１，３２のようにＩＴＯ等の導電性透明材料の膜の片面に金属層を光透過性を有するように薄い膜厚で形成するのが好ましい。
【００７５】
以下の技術的思想（発明）は前記実施形態から把握できる。
（１）請求項１〜請求項３のいずれか一項に記載の発明において、前記有機発光部は赤、緑、青の発光色となる３つの層である。
【図面の簡単な説明】
【００７６】
【図１】第１の実施形態を示し、（ａ）はフィールドシーケンシャル液晶表示装置の模式図、（ｂ）は液晶パネルとバックライトの模式部分断面図。
【図２】バックライトの電気的構成を示す模式図。
【図３】駆動回路の概略構成図。
【図４】フィールドシーケンシャル法によるフルカラー表示原理を示す図。
【図５】第２の実施形態における発光装置の模式図。
【図６】照明装置の出射光の色と、各発光ユニットの発光時間との関係を示す図。
【図７】従来技術のスタック型有機発光デバイスの模式図。
【符号の説明】
【００７７】
Ｅ…電源、ＳＥ…電源スイッチ、Ｓ１，Ｓ２，Ｓ３…スイッチとしてのスイッチング素子、１１…フィールドシーケンシャル液晶表示装置、１２…液晶パネル、１３…バックライト、２３，２４，２５，４６…発光ユニット、２７，２８，２９，４８…有機発光部、３０，３１，３２，３３…電極、３５…制御手段としての制御装置、４５…発光装置としての照明装置。
【図１】
2007172945.tif 000003
【図２】
2007172945.tif 000004
【図３】
2007172945.tif 000005
【図４】
2007172945.tif 000006
【図５】
2007172945.tif 000007
【図６】
2007172945.tif 000008
【図７】
2007172945.tif 000009